Podtech/llm-jp-corpus-v4-ja_patent huggingface dataset:
(57)【要約】      （修正有）【課題】従来、自動車のブレーキペダルに角度をつけたもの、又は曲面にしたものはなかった。したがってアクセルペダルからブレーキペダルに足を移動する場合、ブレーキの横に足がひっかかったりしていた。それを解決するためアクセルペダル側に角度をつける、又は曲面にしたブレーキペダルを提供する。【解決手段】ブレーキペダル１をアクセルペダル２側に角度つける、又は曲面にして足の横移動が容易にできることを特徴とする。【選択図】図１
0003135873.tif 000002
【実用新案登録請求の範囲】
【請求項１】
自動車のブレーキペダルをアクセルペダル側に角度をつける、
又は曲面にしたブレーキペダル。
【考案の詳細な説明】
【技術分野】
【０００１】本考案は、自動車のブレーキペダルをアクセルペダル側に角度をつける、
又は曲面にしたブレーキペダルに関するものである。
【背景技術】
【０００２】従来、自動車のブレーキペダルに角度をつけた、又は曲面にしたものはなかった。
【考案の開示】
【考案が解決しようとする課題】
【０００３】これはつぎのような問題点があった。
自動車を運転しているとき、アクセルペダルからブレーキペダルに足を移動する場合、足がブレーキペダルの横にひっかかったりしてブレーキペダルを踏み込むのがしづらかった。本考案は、以上のような不便をなくすためになされたものである。
【課題を解決するための手段】
【０００４】自動車のブレーキペダルをアクセルペダル側に角度をつける、
又は曲面にしたブレーキペダル。
【考案の効果】
【０００５】本考案は、以上のような構造で、アクセルペダルからブレーキペダルに移行するとき、足を横移動してブレーキペダルを踏み込むことができ、今以上にブレーキペダルの操作が容易である。
【考案を実施するための最良の形態】
【０００６】以下、本考案の実施の形態について説明する。
自動車のブレーキペダル（図１）のようにアクセルペダル側に角度をつける、又は曲面にする。本考案は以上のような構造でこれを使用するとき、アクセルペダルからブレーキペダルへの足の横移動が容易である。
イ）アクセルペダルを踏んでいる位置から足を引くことなく足の横移動が容易にできる角度、又は曲面にする。
ロ）ブレーキペダル面には、左側に少々すべるようにする。
以上のような構造によって、今以上にブレーキペダルを踏み込むのが容易である。
【図面の簡単な説明】
【０００７】
【図１】  本考案による自動車用ブレーキペダルの前上方から見た図である。イ）アクセルペダル側へ角度をつけた図である。ロ）アクセルペダル側へ曲面にした図である。
【図２】  本考案による自動車用ブレーキペダルの正面図である。
【図３】  本考案による自動車用ブレーキペダルの右側面図である。
【符号の説明】
【０００８】  １  ブレーキペダル
２  アクセルペダル
【図１】
0003135873.tif 000003
【図２】
0003135873.tif 000004
【図３】
0003135873.tif 000005
(57)【要約】      （修正有）【課題】レジ袋等の取っ手付き袋は、日常物入れとして幅広く利用されているが、その袋は柔らかい特性から、物を入れる都度その投入口を開けなければならない面倒がある。又、レジ袋等十分活用しないまま捨てられている場合もある。それを有効に活用する。【解決手段】レジ袋等の物入れ部が常時開いた状態と同じ効果を有した物入れ投入口付き蓋を提供する。その構造は、物入れ投入口部１を中空円・角筒体等にし、その筒体の縁に投入部の口径より大きい中抜きの円・角筒体等の外周部２を設け、その投入口部１と外周部２を一体に形成したものである。その外周部２には物入れ投入口付き蓋を袋４に固定するための、袋の取っ手５、通し穴３を二箇所設けた構造である。【選択図】図１
0003135838.tif 000002
【実用新案登録請求の範囲】
【請求項１】
取っ手付き袋に装着できる構造の物入れ投入口付き蓋
【請求項２】
物入れ投入口部は中空円・角筒体等にし、その上部縁に前記投入口部より大きい中抜き円・角筒体等の外周部を設け、その投入口部と外周部を一体に形成した物入れ投入口付き蓋
【請求項３】
前記、［請求項２］の外周部には物入れ投入口付き蓋を袋に固定するための、袋の取っ手通し穴を二箇所設けた構造の物入れ投入口付き蓋
【請求項４】
前記、［請求項２・３］の構造を有した物入れ投入口付き蓋の素材は、プラスチックやゴム・紙等で、形成可能なもの全てとする。
【請求項５】
取っ手付き袋の種類は、レジ袋等のビニール袋や布袋・紙袋等で、使用可能もの全てとする。
【考案の詳細な説明】
【技術分野】
【０００１】  この考案は、取っ手付き袋の有効活用を重視し、多目的且つ容易に物を入れられるように開発した、投入口付き蓋を提供するものである。
【背景技術】
【０００２】  レジ袋等の取っ手付き袋は、日常物入れとして幅広く利用されているが、その袋は柔らかい特性から、物を入れる都度その投入口を開けなければない面倒がある。又レジ袋等十分活用しないまま捨てられている場合もある。それを有効活用することが、環境保全に貢献できるものと考える。
【考案の開示】
【考案が解決しようとする課題】
【０００３】  レジ袋等の取っ手付き袋等の物入れ投入口が、常時開いた状態を確保されれば、物が容易に入れられる。その開いた状態と同じ機能を有する製品の開発が課題である。【０００４】  それはレジ袋等に簡単に装着でき、物入れとしての利便性と機能性を追求したものである。【０００５】  レシ袋等をむやみに消費するのではなく、それを何度も再利用でき、環境に配慮するものである。
【課題を解決するための手段】
【０００６】  レジ袋等の物入れ部が常時開いた状態と同じ効果を有した、物入れ投入口付き蓋を提供する。【０００７】  物入れ投入口付き蓋の構造は、物入れ投入口部を中空円・角筒体等にし、その上部縁に、前記投入部の口径より大きい中抜き円・角筒体等の外周部を設け、その投入部と外周部を一体に形成したものである。又、その外周部には物入れ投入口付き蓋を袋に固定するための、取っ手通し穴を二箇所設けた構造の物入れ投入口付き蓋である。【０００８】  前記、［０００７］の袋の取っ手を通す穴の形状は、円形・角形等やそれらを変形したものも可能である。そのサイズも様々考えられるが、それにゆとりを持たせることで、物入れ投入口付き蓋を前後に移動が可能となり、投入口の方向が選択できる。【０００９】  本考案の物入れ投入口付き蓋の形（型）状は、使用目的により円形・角形等、様々な設計が可能である。【００１０】  本考案の物入れ投入口付き蓋の素材は、ポリプロピレン等のプラスチック系やゴム系やダンボールの木材系等が可能である。
【考案の効果】
【００１１】  レジ袋等に簡単に装着できる本考案の物入れ投入口付き蓋により、物入れ投入口が常に開いた状態と同し効果が発揮され、従来の物を入れる都度、袋の入口を開ける手間が省け、物が入れやすくなり利便性と機能性が高くなった。【００１２】  レジ袋等に装着した本考案の物入れとしての使用方法には、取っ手をフックに掛け吊り下げる方法や腕に取っ手の穴を通し吊り下げ、移動しながら使用する方法等がある。尚、使用方法や使用目的によっては、本考案の素材をゴム系にすることで、体にやさしく且つ安全に使用できるようになった。【００１３】  本考案による利便性・機能性の効果は、レジ袋等の物入れとしての価値を高め、利用分野に幅がでた。例えば、農作業や菜園等の収穫物や雑草等の小物入れ用として、工場・屋外での作業時やキャンプ・海水浴等のレジャー時や車内の携帯用ゴミ入れに利用したり、移動しながらペットの糞を入れたり、会社や家庭でのゴミ入れ・物入れに利用する等、入れる物の種類も多く又、利用範囲も広い。【００１４】  本考案は、レジ袋等の物入れとしての製品価値を高めるものである。その事が物を大切に扱う精神を養い、むやみに消費することの防止や再利用につながると考える。
【考案を実施するための最良の形態】
【００１５】  本考案の実施形態を添付図面に基づいて説明する。図１はレジ袋等に本考案の物入れ投入口付き蓋を装着したものである。本考案により、物入れとしての利便性・機能性が発揮され、レジ袋等の有効利用をするための最良の形態である。【００１６】  本考案の物入れ投入口付き蓋の構造は、物入れ投入口部（１）を中空円・角筒体等にし、その筒体の縁に投入部の径より大きい中抜きの円・角筒体等の外周部（２）を設け、その投入口部（１）と外周部（２）を一体に形成したものである。その外周部（２）には本考案の物入れ投入口付き蓋（図１）を袋（４）に固定するための、袋の取っ手（５）通し穴（３）を二箇所設けた構造である。【００１７】  前記、［００１６］の袋の取っ手通し穴（３）の形状は円形・四角等で、そのサイズも様々考えられる。その部分（３）に袋の取っ手（５）を通した時、前記穴（３）にゆとりをもたせることで、本考案の物入れ投入口付き蓋（図１）の方向を前後に移動が可能となり、物を入れる最良の位置が選択できる。
【図面の簡単な説明】
【００１８】
【図１】はレジ袋等に本考案の物入れ投入口付蓋を装着した斜視図及び断面図
【００１９】
【図２】は本考案の物入れ投入口付蓋の形状の一例を示した上面図
【符号の説明】
１．物入れ投入口２．物入れ投入口の外周部３．レジ袋等の取っ手を通す穴４．レジ袋等の物入れ部５．レジ袋等の取っ手部
【図１】
0003135838.tif 000003
【図２】
0003135838.tif 000004
【手続補正書】
【提出日】平成19年6月12日(2007.6.12)
【手続補正１】
【補正対象書類名】実用新案登録請求の範囲
【補正対象項目名】全文
【補正方法】変更
【補正の内容】
【実用新案登録請求の範囲】
【請求項１】
中空円・角筒体等の上部面に縁及び枠で外周部を形成し、前記外周部に取っ手付き袋の取っ手を通す二箇所の穴を設けた構造の物入れ投入口付き蓋。
【請求項２】
前記縁及び枠の外周部を円形・角形等に形成した構造の請求項１に記載の物入れ投入口付き蓋。
(57)【要約】      （修正有）【課題】自動車用ワイパーブレードに、自動車用ワイパーブレードの装飾カバーを取り付け見栄えよくする。【解決手段】自動車用ワイパーブレード１０に被せて用いる自動車用ワイパーブレードの装飾カバー１であって、本体８は底部が開口している断面コの字状の長尺体からなり、この本体８の両端部には、ワイパーブレード１０の動きに同調して動く本体８との接続部の断面形状と同じくコの字状の可動カバー２，２がピン７，７により、本体８に回動自在に設けたことを特徴とする自動車用ワイパーブレードの装飾カバー１で、ワイパーブレード１０を常に覆うものである。【選択図】図２
0003135837.tif 000002
【実用新案登録請求の範囲】
【請求項１】
自動車用ワイパーブレード（１０）に被せて用いる自動車用ワイパーブレードの装飾カバー（１）であって、本体（８）は底部が開口している断面コの字状の長尺体からなり、この本体（８）の両端部には、ワイパーブレード（１０）の動きに同調して動く本体（８）との接続部の断面形状と同じくコの字状の可動カバー（２，２）がピン（７，７）により、本体（８）に回動自在に設けたことを特徴とする自動車用ワイパーブレードの装飾カバー（１）。
【考案の詳細な説明】
【技術分野】
【０００１】本考案は、自動車ワイパーブレードに関するものである。
【背景技術】
【０００２】自動車用ワイパーブレードは、常に外部にさらされており雨や水が掛かるとよく錆ついたりするので見栄えが悪かった。
【考案の開示】
【考案が解決しょうとする課題】
【０００３】自動車用ワイパーブレードの錆ついた部分を外観から見えない用にする為の課題とする。
【課題を解決するための手段】
【０００４】本考案の、自動車用ワイパーブレード１０に被せて用いる自動車用ワイパーブレードの装飾カバー１であって、本体８は底部が開口している断面コの字状の長尺体からなり、この本体８の両端部には、ワイパーブレード１０の動きに同調して動く本体８との接続部の断面形状と同じくコの字状の可動カバー２，２がピン７，７により、本体８に回動白在に設けたことを特徴とする自動車用ワイパーブレードの装飾カバー１。
【０００５】本考案の、本体８及び可動カバー２の材料としては、軽量性や作りやすさを考えて、ＦＲＰ．アルミ．プラスチックなどがあげられる。本体８の断面形状と、可動カバー２の断面形状の底部の開口の大きさは、被せようとするワイパーブレード１０の形式と合わせる寸法とする。可動カバー２の長さは、被せるワイパーブレード１０の両端部の可動部分の長さに合わせる寸法が好ましい。可動カバー２の先端は、図１に示すように、上面が湾曲し先にゆくほど薄くなっている形状が意匠上好ましい。
【考案の効果】
【０００６】本考案のカバー１は、上述のような構成をしているので、自動車用ワイパーブレードの装飾カバーは、本体両端部に可動カバーが取り付けられていることにより、自動車用ワイパーブレードに被せることで、自動車用ワイパーブレードの動きに同調し、常に覆い被せる事が出来るので見栄えが良くなった。
【考案を実施するための最良の形態】
【０００７】以下、添付図面に従って一実施例を説明する。本体１はＦＲＰの軽い素材で作られ自動車用ワイパーブレード１０の装飾カバー本体である。２は可動カバーであり、本体８の両端部にピン７にて取り付けられている。自動車用ワイパーブレード１０の長さは６５０ｍｍの物に対して装飾カバー１が６４０ｍｍ、本体８の高さが、自動車用ワイパープレード１０のゴムに被らない様に３０ｍｍ，幅が２１ｍｍ，となり本体１の長さは３２０ｍｍ、可動カバーの長さは１６０ｍｍでワイパーブレード１０の長さに合わせるものとする。可動カバー２は、一回り大きく作り幅２３ｍｍ高さ３２ｍｍ先にゆくほど細くなっており、本体８と可動カバー２の間に平ワッシャを入れ可動カバー２がスムーズに動く様にした。【０００８】１０は、自動車用ワイパーブレードであり、この装飾カバー１をネジ６と、ワッシャ４，５とナット３で取り付け、窓９の長さ７５ｍｍ幅１７ｍｍの穴にワイパーブレード１０の中央部が出る様にした。【０００９】自動車用ワイパーブレード１０のゴム部分を取り外し、自動車用ワイパーブレード１０の内側よりネジ６を入れ装飾カバー１を上部より被せ、装飾カバー１の穴にネジを差し込み、ワッシャ４，５ナット３を締め装飾カバー１を固定し最後に取り外したゴムを取り付ける。【００１０】本考案のこの実施例の製品を実際の自動車に取り付けたところ、自動車用ワイパーブレードの動きに応じて、自動車用ワイパーブレードの装飾カバーの両端部に取り付けてある可動カバーが同調し上下に動いた。
【産業上の利用可能性】
【図面の簡単な説明】
【００１１】
【図１】  本考案の自動車用ワイパーブレードの装飾カバーを示す斜視図
【図２】  本考案の実施の一例を示す説明図
【図３】  本考案の自動車用ワイパーブレードの装飾カバーを実際にワイパーブレードに取り付けた状態を示す説明図
【符号の説明】
【００１２】  １  装飾カバー
２  可動カバー
３  ナット
４  スプリングワッシャ
５  平ワッシャ
６  ネジ
７  ピン
８  本体
９  ワイパーブレードをはめ込む窓
１０  自動車用ワイパーブレード
【図１】
0003135837.tif 000003
【図２】
0003135837.tif 000004
【図３】
0003135837.tif 000005
【手続補正書】
【提出日】平成19年6月20日(2007.6.20)
【手続補正１】
【補正対象書類名】実用新案登録請求の範囲
【補正対象項目名】全文
【補正方法】変更
【補正の内容】
【実用新案登録請求の範囲】
【請求項１】
自動車用ワイパーブレード（１０）に被せて用いる自動車用ワイパーブレードの装飾カバー（１）であって、本体（８）は底部が開口している断面コの字状の長尺体からなり、この本体（８）の両端には、可動カバー（２，２）がピン（７，７）により回動自在に接続されていて、この接続部における上記可動カバー（２，２）の断面形状が、本体（８）の断面形状と同じ、コの字状となされていることを特徴とする自動車用ワイパーブレードの装飾カバー（１）。
【手続補正２】
【補正対象書類名】明細書
【補正対象項目名】０００４
【補正方法】変更
【補正の内容】
【０００４】自動車用ワイパーブレードの装飾カバー１は、自動車用ワイパーブレード１０に被せて用いる自動車用ワイパーブレードの装飾カバー１であって、本体８は底部が開口している断面コの字状の長尺体からなり、この本体８の両端には、可動カバー２，２がピン７，７により回動自在に接続されていて、この接続部における上記可動カバー２，２の断面形状が、本体８の断面形状と同じ、コの字状となされていることを特徴とする。
(57)【要約】      （修正有）【課題】畳表をい草本来の表面感や肌触りを損ねることなく、使用時の摩擦等により効果の薄れることの無い抗菌・消臭・防カビ効果を可能にする畳表を提供する。【解決手段】い草を横糸とし、光触媒と銀を複合したもの、竹炭を加工し、消臭・抗菌・防カビ効果のある抗菌剤を吹き付けるあるいは練り込ませた麻、綿、化学繊維を縦糸として織りあげることにより、い草本来の風合いや肌触り、香りを損なうことなく、消臭・抗菌・防カビなどの効果持続が期待出来る畳表。【選択図】図１
0003135831.tif 000002
【実用新案登録請求の範囲】
【請求項１】
い草を横糸とし、光触媒と銀を複合する、あるいは竹炭を加工するなどにより、消臭・抗菌・防カビ効果のある抗菌剤を吹き付ける、あるいは練り込ませた麻、綿、化学繊維を縦糸として織りあげる。以上の如く構成された畳表。
【考案の詳細な説明】
【技術分野】
【０００１】  本考案はい草を横糸とし、光触媒と銀を複合したもの、あるいは竹炭を加工したものなど、消臭・抗菌・防カビ効果のある抗菌剤を吹き付けるあるいは練り込ませた麻、綿、化学繊維を縦糸として織り上げることにより、い草本来の特性を損なうことなく、消臭・抗菌・防カビ効果を可能とする畳表に関するものである。
【背景技術】
【０００２】  従来のものは、畳表に吹き付ける、あるいは横糸・縦糸ともに化学繊維を使用して、消臭・抗菌・防カビ等の効果のある加工を施していた。
【考案の開示】
【考案が解決しようとする課題】
【０００３】  これらには以下のような欠点があった。
畳表に吹き付けたものは、表面感や肌触りを損ねるとともに、使用時の摩擦等により効果の持続が困難であり、化学繊維畳表はい草本来の風合いや香りを実現することが困難であった。本考案はこれらの欠点を解消するために、なされたものである。
【課題を解決するための手段】
【０００４】  い草を横糸とし、光触媒と銀を複合したもの、あるいは竹炭を加工したもの等、消臭・抗菌・防カビ効果のある抗菌剤を吹き付けるあるいは練り込ませた麻、綿、化学繊維を縦糸として織り上げることにより、い草本来の風合いや肌触り、香りを損なうことなく、消臭・抗菌・防カビなどの効果持続が期待出来る畳表とすることが可能となる。
【考案の効果】
【０００５】  い草を横糸とし、光触媒と銀を複合したもの、竹炭を加工し、消臭・抗菌・防カビ効果のある抗菌剤を吹き付けるあるいは練り込ませた麻、綿、化学繊維を縦糸として織り上げることにより、い草本来の風合いや肌触り、香りを損なうことなく、消臭・抗菌・防カビなどの効果持続が期待出来る畳表とすることが可能となり、い草素材特性であるカビや虫の発生軽減も期待できる。また、幅広いサイズやデザインも可能であり、使用する空間の拡大可能性が期待出来る。また、吹きつけ加工する畳表と異なり、縦糸と横糸を織り上げる前の段階での管理が可能となるため、在庫ロスの軽減が期待出来ることから、産業発展とともに環境側面からも貢献できる。
【考案の実施するための最良の形態】
【０００６】  い草を横糸とし、光触媒と銀を複合する、あるいは竹炭を加工する等、消臭・抗菌・防カビ効果のある抗菌剤を吹き付けるあるいは練り込ませた麻、綿、化学繊維を縦糸として織り上げる畳表とする。本考案は以上の構成でこれを使用するときは上敷きやラグ、畳、ユニット敷きの畳、パーテーションなどのい草インテリアとする。
【図面の簡単な説明】
【図１】本考案の縦糸と横糸を織り上げて畳表とした場合の参考図
【符号の説明】
（１）は横糸のい草
（２）は縦糸の消臭・抗菌・防カビ効果のある抗菌剤を吹き付ける、あるいは練り込ませた麻、綿、化学繊維
（３）は畳表の表面
【図１】
0003135831.tif 000003
【手続補正書】
【提出日】平成19年6月19日(2007.6.19)
【手続補正１】
【補正対象書類名】実用新案登録請求の範囲
【補正対象項目名】全文
【補正方法】変更
【補正の内容】
【実用新案登録請求の範囲】
【請求項１】
い草（１）と麻や綿および化学繊維（２）を織り上げた畳表であって、
い草（１）は横糸として使用し、麻や綿および化学繊維（２）は縦糸として使用するものであり、
麻や綿および化学繊維（２）は光触媒と銀を複合したもの、あるいは竹炭を加工したものなど消臭・抗菌・防カビ効果のある抗菌剤を加えたものであり、
抗菌剤は麻や綿および合成繊維（２）に吹き付ける、あるいは練り込ませたものであることを特徴とする畳表。
(57)【要約】      （修正有）【課題】ペットボトル＆紙パック、アルミ＆スチール缶のリサイクル資源化への手助けとしてきれいに洗浄してつぶし、容積を小さくして管理、運搬を容易にするために考えたリサイクルボックスを提供する。【解決手段】使い終わったリサイクル物品を専用のセット台にセットし、電源スイッチを入れるとセット台が止まり、１１のノズルが出てきて水を噴射と共にノズルが１０の水圧モーターで回転（少量の水で効率よく洗浄）して容器の洗浄が終わり、乾燥エリアで３時間かけて乾燥され投入口位置検知スイッチによりストップし、この時点でセンサーにより物品を識別して６へ信号を送り、５が分別方向にセットされ、そののちに９のセットステージが下がり、物品投入ラックギアにより投入口に落下、４の星型ローラーによりつぶされて板状になり５の製品分別流し台により「４種類の分別」に分別される。【選択図】図１
0003135835.tif 000002
【実用新案登録請求の範囲】
【請求項１】
ボックス上方に投入口を設け、その下に２本の星型ローラーを平行に設置しモーターの回転をチエンを介してローラーに伝えて回転させてリサイクル物品をつぶし容積を小さくすることを特徴としたリサイクルボックス。
【請求項２】
４種類のリサイクル物品を洗浄、乾燥させて４種類それぞれに分別することを特徴としたリサイクルボックス。
【考案の詳細な説明】
【技術分野】
【０００１】本考案はリサイクル出来るボトル、パック、缶などを効率的、簡素に処理するための装置です。
【背景技術】
【０００２】今までは、ペットボトルや紙パック、缶などは中を洗浄してそのままの姿でリサイクルごみとして処理していたので運搬、集積場などで苦労していた。
【考案が解決しようとする課題】
【０００３】リサイクル物品をつぶして、分別することによって集積の簡素化、運搬の効率化などが出来る。
【課題を解決するための手段】
【０００４】本考案はリサイクル物品を洗浄し、つぶして容積を小さくし４種類に分別して一時的にボックスの中で貯蔵しておく。
【考案の効果】
【０００５】上記の様に、物品を洗浄することによりリサイクルが確実に行えること、また物品を潰して板状にすることにより集積容量を小さく出来、運搬も効率的になる。
【考案を実施するための最良の形態】
【０００６】リサイクル物品をペットボトル＆紙パック用、もしくは缶用セットステージにセットし洗浄位置まで移動、洗浄して乾燥エリアにて３時間乾燥されて投入口に運ばれ星型ローラーで板状につぶされ４ツのそれぞれのエリアに分別され投下される。
物品をセットする所だけ開放しその他は全閉式とし、安全確保を第１とする。
【図面の簡単な説明】
【０００７】
【図１】    リサイクルボックスの側面図
【図２】    紙パックのセット状態
【図３】    ペットボトルのセット状態
【図４】    缶のセット状態
【図５】    リサイクルボックスの中を上から見た図
【図６】    リサイクルボックスの上面図（上部開閉蓋を取り除いた状態）
【符号の説明】
【０００８】    １        ボックス本体
２        モーター
３        物品投入口
４        星型ローラー
５        製品分別流し台
６        パルスモーター
７        物品保持枠
８        リサイクル物品
９        セットステージ
１０        水圧モーター
１１        洗浄ノズル
１２        廃液タンク
１３        高圧ポンプ
１４        物品投入用ラックギア
１５        洗浄ノズル出入り口
１６        乾燥エリア
１７        角停止検知用スイッチ
１８        ペットボトル＆紙パック用セット台
１９        アルミ＆スチール缶選別センサー（磁石スイッチ）
２０        ナルミ＆スチール缶用セット台
２１        ペットボトル＆紙パック選別発信側センサー
２２        投入口位置検知用スイッチ
２３        ノズル出入り口
２４        セット台搬送用ベルト
２５        ペットボトル＆紙パック選別受信側センサー
２６        電源スイッチ
【図１】
0003135835.tif 000003
【図２】
0003135835.tif 000004
【図３】
0003135835.tif 000005
【図６】
0003135835.tif 000006
【図４】
0003135835.tif 000007
【図５】
0003135835.tif 000008
【手続補正書】
【提出日】平成19年6月20日(2007.6.20)
【手続補正１】
【補正対象書類名】実用新案登録請求の範囲
【補正対象項目名】請求項２
【補正方法】変更
【補正の内容】
【請求項２】
請求項１のリサイクルボックスにおいて、洗浄位置と、乾燥エリアとを有し、更に前記リサイクル物品の種別に応じて設けられ、該当するリサイクル物品がセットされるセットステージ（セット台）１８，２０であって、前記リサイクル物品を前記洗浄位置、乾燥エリア及び投入口に位置付けるセットステージ１８，２０と、当該投入口に位置付けられたセットステージ上の物品を投入口に落下させる物品投入用ラックギア１４とを有することを特徴としたリサイクルボックス。
(57)【要約】      （修正有）【課題】家屋の基礎部分に装置を取り付け地震破壊力を食い止め家屋の破壊、家具等の破損を最小限に収める。【解決手段】鉄筋を十分に使いベタ基礎で基礎６を作り、そのベースの上に鉄板１１を埋め込み、金具により間隔を決められたパイプ１２を縦、横十文字に配置し、その上にスプリング４を挟んで設置したＨ鋼基礎５を載せ、その基礎の上に家屋１を建築すれば地震のときでも最小限の被害で済む。一方、建物の反動を緩衝するため油圧ダンパー２を設置する。【選択図】図１
0003135834.tif 000002
【実用新案登録請求の範囲】
【請求項１】
基礎の上にパイプ、スプリング、Ｈ鋼型枠、油圧ダンパーを組んで地震力を軽減、吸収することを特徴とする装置です。
【考案の詳細な説明】
【技術分野】
【０００１】本考案は地震に対する家屋の揺れを軽減する装置です。
【背景技術】
【０００２】今までの家屋は地面に基礎を作りその上に家屋を建てていた為、地震が起きた場合家屋は地面の揺れと同じだけ縦揺れ、横揺れを起こしていた。
【考案が解決しようとする課題】
【０００３】  地震が起きたときの縦ゆれ、横揺れのエネルギーを吸収、軽減できる装置を地面と家屋の間に設置しておけば、いざ地震というときでも安心である。
【課題を解決するための手段】
【０００４】基礎をＨ鋼で上下２組作りその間にスプリングを挟み上下ボルト止めしその基礎の下にパイプを縦、一枚鉄板を挟んで横、に家屋重量に応じた数だけ並べまたその下に鉄板、ベタ基礎を流しそのＨ鋼の基礎上に家屋を建築すれば装置が地震エネルギーを吸収、軽減して家屋に対しては最小限のダメージで済みます。
また装置の、反発エネルギーを横方向、縦方向に設置した油圧ダンパーで制御する。
【考案の効果】
【０００５】上記のように製作した装置の上に家屋を建てれば、たとえ地震が来ても装置が地震エネルギーを吸収して家屋に対する損傷は最小限で済む。
【考案を実施するための最良の形態】
【０００６】土地の軟弱度を測定し必要ならば硬い岩盤までくい打ちを行ってその上に鉄筋を計算上以上に使って基礎を作り家屋を建築すればいざ地震というときにその装置の効果が最良の形で出てくると思います。
家屋の重量によってバネ常数、反発力、アブソバーの減衰力、長さなども変わってくるので家屋の間取り、部屋数、階数、備品などの総重量を計算して最終的にスプリングの巻き数、本数、油圧ダンパーの太さ、本数、減衰力を決める。
コンクリート基礎の外周（油圧ダンパーの取り付け部）にＨ鋼の枠を埋め込み油圧ダンパーの取り付け部を直接Ｈ鋼に取り付けることで強度を確保する。
【図面の簡単な説明】
【０００７】
【図１】基礎部分の断面図
【図２】基礎部分を上から見た図
【図３】ガイドバーの拡大図
【符号の説明】
【０００８】  １    家屋本体
２    上下緩衝用油圧ダンパー
３    地福木
４    縦揺れ吸収用コイルスプリング
５    Ｈ型鋼家屋基礎
６    鉄筋入りベタ基礎コンクリート
７    外枠油圧ダンパー取付用Ｈ型鋼
８    横揺れ吸収用コイルスプリング
９    横揺れ緩衝用油圧ダンパー
１０    ステンレス平板鋼（埋め込み用）
１１    ステンレス平板鋼（中間挟み込み用）
１２    ステンレスローラー（上はＨ型鋼基礎に取り付け、下はステンレス平板鋼に取り付け）
１３    上下動ガイドバー
１４    ガイドローラー
【図１】
0003135834.tif 000003
【図２】
0003135834.tif 000004
【図３】
0003135834.tif 000005
【手続補正書】
【提出日】平成19年6月20日(2007.6.20)
【手続補正１】
【補正対象書類名】実用新案登録請求の範囲
【補正対象項目名】全文
【補正方法】変更
【補正の内容】
【実用新案登録請求の範囲】
【請求項１】
べた基礎コンクリート６の上に配置された第１の鉄板１１と、第１の鉄板１１の上に横方向に並べられた複数のパイプ１２と、該複数のパイプ１２の上に配置された第２の鉄板１０と、該第２の鉄板１０の上に縦方向に並べられた複数のパイプ１２と、該縦方向の複数のパイプ１２上に配置された第３の鉄板１０と、該第３の鉄板上に配置された上下２組のＨ鋼からなるＨ鋼家屋基礎であって、上下のＨ鋼間にスプリング４を挟み込んだＨ鋼家屋基礎と、べた基礎コンクリート６は更にその外周にＨ鋼７が埋め込まれた枠部を有し、更に前記Ｈ鋼家屋基礎と前記外周のＨ鋼７との間には油圧ダンパー９が取り付けられており、前記Ｈ鋼家屋基礎の上に家屋が建設されることを特徴とする地震力軽減装置。
(57)【要約】【課題】  本考案は、歯科治療時に患者の苦痛、および、歯科医の負担を軽減する補助具を提供する。【解決手段】  本考案は、治療対象の歯の位置に穴を空けた補助具を、患者の口に装着することで、患者にとっては水や破片が口内に浸入することや口内に治療機や歯科医の手が触れることを防げ、歯科医は口の開口を確保できることで治療に専念できる。【選択図】図１
0003135836.tif 000002
【実用新案登録請求の範囲】
【請求項１】
本補助具は、強度のある樹脂で口の形に成型されたものであり、治療中の口内の様子を観察するために、透明であることが好ましい。
【考案の詳細な説明】
【考案の詳細な説明】
【技術分野】
【０００１】本考案は、歯科治療時に患者の口に装着することで、患者と歯科医の双方の負担を軽減させる補助具である。
【背景技術】
【０００２】今まで、歯科治療において治療機器から出る水や削られた歯の破片が、口の中に入ってしまい、たとえ吸引機で吸ったとしても不快であった。また、口の中に治療機器や歯科医の手が入ってくることへの不快感も非常に高いものである。口を継続して開けておくことも、苦痛であった。
【考案の開示】
【考案が解決しようとする課題】
【０００３】治療行為としては、治療対象の歯のみに接触できれば良いので、患者の口に補助具を装着させ、治療対象の歯以外は、歯科医と患者がお互いに直接接触しない環境を作る。
【課題を解決するための手段】
【０００４】補助具には、上歯と下歯に合わせて溝が形成されており、口の中に入れて装着したとき、安定感があるものである。また、補助具は、装着前に、治療対象の歯の部分にドリルなどで穴を開けておく。状況によって、水などが隙間から流れ出さないように、治療対象の歯と補助具の隙間を脱脂綿や柔らかい樹脂などで埋めてから、治療を行うことが好ましい。
【考案の効果】
【０００５】本考案の補助具を装着して治療を行った場合、治療機器から出る水や歯の破片が口の中に入ってしまうことも無く、また、口の中に治療機器や歯科医の手が入ってくることへの不快感も改善される。口を継続して開けておくことも楽に行える。
【考案の実施するため最良の形態】
【０００６】透明でない樹脂でも治療上は問題が無いが、患者の舌の動きなどから患者の状態を知る上でも透明な樹脂で作られるほうが好ましい。また、治療中に歯に力が入り、破損してしまうと危険なので、ポリカーボネイト樹脂などの割れにくく強度の高いものが好ましい。
補助具の大きさは、子供用から大人用まで何通りかのサイズを用意しておき、患者の口の大きさに合わせて選択することが好ましい。
【図面の簡単な説明】
【０００７】
【図１】本考案の本体、立体図
【符号の説明】
１  本体
２  治療対象の歯の位置に空けた穴
３  上歯で噛む溝
４  下歯で噛む溝
【図１】
0003135836.tif 000003
【手続補正書】
【提出日】平成19年7月10日(2007.7.10)
【手続補正１】
【補正対象書類名】実用新案登録請求の範囲
【補正対象項目名】請求項１
【補正方法】変更
【補正の内容】
【請求項１】
口の形に成型された強度のある樹脂で作られ、歯科治療時に患者の苦痛、および、歯科医の負担を軽減するための歯科治療補助具。
(57)【要約】      （修正有）【課題】ネイル剥離に使用するアルミホイルや、コットンを準備する際の手間と時間を省力化するとともに、施術の効率化を図るネイルジェル剥離用コットン付アルミホイルの提供。【解決手段】あらかじめ８ｃｍ角に裁断したアルミホイル１の一辺の中央部分に、リムーバーを染み込ませるコットン２を付け、一体化させる。【選択図】図１
0003135889.tif 000002
【実用新案登録請求の範囲】
【請求項１】
ネイルジェルを剥離するためのリムーバーを染み込ませるためのコットンを備えたアルミホイル。
【考案の詳細な説明】
【技術分野】
【０００１】
本考案は、ネイルジェルを剥離するためのリムーバーを染み込ませるためのコットンと保温するためのアルミホイルを組み合わせたものである。
【背景技術】
【０００２】
従来は、リムーバーを染み込ませるためのコットンと、保温のためのアルミホイルは、別々に用意したものを使用していた。
【考案の開示】
【考案が解決しようとする課題】
【０００３】
ネイルジェルを剥離する際に、リムーバーを染み込ませたコットンを爪の上に置き、その上からアルミホイルを巻いてしっかり固定することで、剥離しやすくする。
【０００４】
その際に使用するアルミホイルを、１０ｃｍ角程度の大きさに切って準備をするため、ネイルサロンの従業員が手間と時間をかけている。
【課題を解決するための手段】
【０００５】
本考案は、あらかじめ使いやすい大きさに裁断したアルミホイルと、コットンを組み合わせる。
【考案の効果】
【０００６】
あらかじめ使用する大きさにアルミホイルを裁断し、コットンとアルミホイルが一体化されていることで、ネイルサロンの従業員の作業が軽減される。
【０００７】
また、コットンの位置が固定化されていることで、アルミホイルを効率的に使用することができるとともに、作業が効率化される。
【考案を実施するための最良の形態】
【０００８】
アルミホイル１を８ｃｍ角に裁断し、一辺の中央部分に５ｃｍ角のコットン２を貼り付ける。
【実施例１】
【０００９】
あらかじめトップコートやポリッシュなどを落とし、表面を軽くファイリングした状態で本考案を使用する。
【００１０】
コットン２にリムーバーを染み込ませ、爪３を覆うように本考案を被せる。
【００１１】
アルミホイル１の両端を指に巻くようにし、上部を丸め込むことでコットンを固定する。
【図面の簡単な説明】
【００１２】
【図１】本考案の概略構成を説明する概略構成説明図である。
【図２】本考案の実施例１を説明する概略構成説明図である。
【図３】本考案の実施例１を説明する概略構成説明図である。
【符号の説明】
【００１３】
１  アルミホイル
２  コットン
３  爪
【図１】
0003135889.tif 000003
【図２】
0003135889.tif 000004
【図３】
0003135889.tif 000005
(57)【要約】      （修正有）【課題】市販の大きめの締付け工具（バイスプライヤー、グリッププライヤー等）を片手で操作し易く能率が上がるようにする。【解決手段】締付け工具にダボ（凸部）とＭ８ボルト、ナットの組合せからなる手幅調整装置を付加することで新規構造の締付け工具（バイスプライヤー、グリッププライヤー等）を作る。【選択図】図１
0003135887.tif 000002
【実用新案登録請求の範囲】
【請求項１】
はさみ口側にダボ（凸物）を固定して、取手側にＭ８ボルトとナットを加工し、ボルトの出し入れにより手幅を調整する、手幅調整装置。
【考案の詳細な説明】
【考案の開示】
【考案が解決しようとする課題】市販の締付け工具（バイスプライヤー、グリッププライヤー）の大き目のものは、人の手幅にあまり片手で操作しにくく不能率である。
【課題を解決するための手段】
【０００１】能率向上のため、これら締付け工具のはさみ口側にダボを固定して、取手側にＭ８ボルトとナットを加工し、ボルトの出し入れを利用して、手幅を調整する、手幅調整装置。
【考案の効果】
【０００２】手幅調整装置がついているので片手で作業が出来能率が上がる。
【図面の簡単な説明】
【図１】図１は手幅調整装置付きプライヤーの全体図である。
【符号の説明】
【０００３】１、２ははさみ口である。
３    はＭ８ボルト、ナットである。
４    はダボである。
５    ははさみ口調整ネジ付き取手である。
６    は手幅調整ネジ付き取手である。
【図１】
0003135887.tif 000003
(57)【要約】【課題】  本考案は既成のプラスチック製のメジャーの外観と使用感を高めるものである。【解決手段】本考案はプラスチックメジャー外側を布で覆うことにより、温かみのある愛着が持てる外観へと高め、メジャーと布との間にクッション材を入れる構造により、手触りがやわらかで心地よい使用感へと向上させたものである。【選択図】図１
0003135884.tif 000002
【実用新案登録請求の範囲】
【請求項１】
メジャーの外側を布で覆うことにより、外観を高めるとともにメジャーと布との間にクッション材（スポンジ）を入れることにより、手触りがやわらかで心地よい使用感となることを特徴としたメジャー
【考案の詳細な説明】
【技術分野】
【０００１】  本考案はメジャー外側を布で覆い、メジャーと布との間にクッション材（スポンジ）を入れた構造のメジャーに関するものである。
【背景技術】
【０００２】  メジャーはこれまで、外側がプラスチック製や金属製のものであった。
【考案の開示】
【考案が解決しようとする課題】
【０００３】  プラスチック製や金属製メジャーは外観が画一的で使用感も機械的なものであった。
【課題を解決するための手段】
【０００４】  本考案はプラスチック製メジャーの外側を布で覆うことにより、温かみのある愛着が持てる外観へと高め、またメジャーと布との間にクッション材（スポンジ）を入れる構造により、手触りがやわらかで心地よい使用感へと向上を図った。
【図面の簡単な説明】
【０００５】
【図１】本考案を示す、（ａ）は斜視図、（ｂ）は側面図、（ｃ）は斜視解体図である。
【符号の説明】
【０００６】１．  メジャー本体
２．  メジャーの引き手部分
３．  外側布
４．  布折込部分
５．  メジャーのボタン
６．  クッション材のスポンジ
７．  厚紙
【図１】
0003135884.tif 000003
(57)【要約】【課題】  ティッシュボックスの各社サイズ（横２４０×縦１１５〜１１７×高さ５０〜８４まで）に柔軟にフィットして収納することができ、且つ外観とインテリア性を兼ね備えた形状のティシュボックスカバーを提供すること。【解決手段】  本体をティッシュボックスに則した立体形状とせず、本体上部（ティッシュペーパー取出口あり）と本体下部（底部）を同じ大きさの長方形として重ね、ティッシュボックス出入口（ボタン又はホック留め）とする一短辺を除く三辺の端を縫い合わせた平面的形状とする。平面的形状のカバーサイズは（横２４０×縦１１５〜１１７×高さ５０〜８４までのティッシュボックスに対応すべく）内寸横３５０×縦２１０とする。【選択図】図１
0003135885.tif 000002
【実用新案登録請求の範囲】
【請求項１】
本考案は収納するティッシュボックスのサイズ差にも柔軟に対応して収納することができ、且つ外観とインテリア性にも優れた、平面形状のティッシュボックスカバーに関するものである。
【考案の詳細な説明】
【技術分野】
【０００１】  本考案は収納するティッシュボックスのサイズ差にも柔軟に対応でき、且つ外観とインテリア性にも優れた、平面形状のティッシュボックスカバーに関するものである。
【背景技術】
【０００２】  従来より、ティッシュボックスカバーはティッシュボックスを覆う、立体形状のものが多数存在している。一方、収納物であるティッシュボックスは各社によりサイズ（主に縦と高さ）に差がある。
【考案の開示】
【考案が解決しようとする課題】
【０００３】  立体形状のティッシュボックスカバーは収納物であるティッシュボックスのサイズ差に柔軟に対応し難い点がある。
ティッシュボックスがカバーより小さなサイズである場合；カバー内でティッシュボックスが不安定となり、ティッシュペーパー引出口にずれが生じることによりティッシュペーパーが引き出しにくくなる。又、サイズ差によりカバー内に空洞ができるため、カバーの素材が布等の場合は空洞部分によれが生じ、外観が損なわれる。
ティッシュボックスがカバーより大きなサイズである場合；収納が不可能である。
【課題を解決するための手段】
【０００４】  ティッシュボックスカバーを平面形状とすることにより、ティッシュボックスを収納した際に、ティッシュボックスの大きさに自然にフィットした形のカバー形状となる。そのため小さなサイズのティッシュボックスの場合も、カバー内でティッシュボックスが不安定とならず、ティッシュペーパー引出口のずれも生じにくい。又、素材が布等やわらかい場合もサイズ差によるカバー内の空洞部分はなだらかに端部分へとつながるため、デザイン性は保たれ、外観が損なわれることはない。
なお、平面形状のカバーサイズは内寸横３５０×縦２１０とし、収納するティッシュボックスサイズは横２４０×縦１１５〜１１７×高さ５０〜８４まで収納可能とする。
【図面の簡単な説明】
【０００５】
【図１】本考案を示す、（ａ）は斜視図、（ｂ）は平面図、（ｃ）は横側面図、（ｄ）は縦断側面略示図である。なお、（ａ）（ｃ）（ｄ）は本体にティッシュボックスを収納した状態、（ｂ）は本体のみの状態である。
【符号の説明】
【０００６】１．  ティッシュボックスカバー上面
２．  ティッシュボックスカバー下面
３．  開閉部ボタン又はホック留め
４．  ティッシュペーパー引出口
５．  ティッシュボックス
６．  カバー内空洞部
７．  １と２の縫合部
【図１】
0003135885.tif 000003
(57)【要約】【課題】  反転鏡を携帯容易とし、また、一般的な鏡の機能を併せ持つことにより両者の使い分けを可能とする。【解決手段】  折りたたみ式携帯鏡の内側の両面を鏡面とすることにより、ヒンジ部の角度によって、それが直角であれば正面像を映す反転鏡として、鋭角であれば側面像を映す反転鏡として、また、九十度以上の角度であれば一般的な鏡として機能することで、携帯および使い分けが可能となる。【選択図】図１
0003135867.tif 000002
【実用新案登録請求の範囲】
【請求項１】
折りたたみ式携帯鏡の内側の両面を鏡面とすることにより、ヒンジ部の角度によって、それが直角であれば正面像を映す反転鏡として、鋭角であれば側面像を映す反転鏡として、また、九十度以上の角度であれば一般的な鏡として機能することを特徴とする折りたたみ式携帯反転鏡
【考案の詳細な説明】
【技術分野】
【０００１】  本考案は、内側の両面を鏡面とすることにより、反転鏡としての機能をもたせた折りたたみ式携帯鏡に関するものである。
【背景技術】
【０００２】  自分の姿を確認する場合や、髪型等を整える場合、鏡を用いるが、それに写る像は左右が反転したものであり、他人が自分を認識している像とは異なるものである。この問題を解決する技術として、２枚の鏡を垂直に交差させてつくる反転鏡がある。【０００３】  しかし、反転鏡はその性格上、髪を整える、化粧をするといった作業が非常に困難である。また、実用化されている反転鏡は容易に携帯可能なものが無い。
【考案の開示】
【考案が解決しようとする課題】
【０００４】  一般的な折りたたみ式携帯鏡は左右が反転した像を映すため、他人が自分を認識している像とは異なる。また、反転鏡として、２枚の鏡を垂直に交差させて可動ができない状態にした場合、本来の鏡の機能を失うために、その像を眺めながらの作業は困難であり、さらに本体が大型となるため携帯が容易ではなく、外出先でも自分の左右が反転していない像を確認したいといった要求に応えることができない。以上が解決しようとする問題点である。
【課題を解決するための手段】
【０００５】  折りたたみ式携帯鏡の内側の両面を鏡面とすることにより、ヒンジ部の角度によって、それが直角であれば正面像を映す反転鏡として、鋭角であれば側面像を映す反転鏡として、また、九十度以上の角度であれば一般的な鏡として機能することで問題点を解決している。
【考案の効果】  上述のように折りたたみ式としたので携帯が容易になり、外出先等でも自分の左右が反転していない像を確認することが可能になる。また、ヒンジ部の角度を変えることにより、反転鏡としても一般的な鏡としても用いることが可能なので、両者の長所短所に応じて使い分けることが容易である。
【考案を実施するための最良の形態】
【０００６】  外枠で固定した２枚の鏡をヒンジ部により結合することにより、開閉および任意の角度での２枚の鏡の保持が可能となる。
【図面の簡単な説明】
【０００７】
【図１】本考案の折りたたみ式携帯反転鏡をヒンジ部の角度を直角とし、正面像を映す反転鏡として用いた状態の図である。
【図２】本鏡を折りたたんだ状態の図である。
【図３】本鏡をヒンジ部の角度を鋭角とし、側面像を映す反転鏡として用いた状態の図である。
【図４】本鏡をヒンジ部の角度を九十度以上とし、一般的な鏡として用いた状態の図である。
【符号の説明】
【０００８】１  鏡面
２  ヒンジ部
３  外枠
【図１】
0003135867.tif 000003
【図２】
0003135867.tif 000004
【図３】
0003135867.tif 000005
【図４】
0003135867.tif 000006
(57)【要約】      （修正有）【課題】視覚障害者・身体障害者の方も、指等を傷付けることなく、安心して緩やかな爪の研削を行うことができるようにすること。【解決手段】なめらかに研削するため、３０度〜４５度に傾斜並行の研削部を、微振幅の振動で爪の研削を行う研削部３を、蓄電式と電池式との併設によって駆動部６を作動させ、取はずし自由な角度調整台と、移動防止の滑り止めゴム９を、併設することにより安心して利用することが出来る。上記の構造により電動爪切り器本体を手に持つ事なく爪を研削することができる。【選択図】図１
0003135862.tif 000002
【実用新案登録請求の範囲】
【請求項１】
駆動部（６）によって、鈍角な山形に成型した刃を緩やかな、円弧状又は平面状に３０度〜４５度傾斜並立させた研削部（３）を、左右に微振幅する振動によって、なめらかに爪を研削する電動爪切り器。
【請求項２】
駆動部（６）への電力、電池セット部（７）への乾電池電力及び充電部への蓄電を随意変更使用出来る構造とした請求項１記載の電動爪切り器。
【請求項３】
身体の不自由な方が爪を研削する場合には、取りはずし可能な脚立台（１４）・脚立（１５）・角度調整止具（１６）・脚立台固定部（１７）を用いる請求項１記載の電動爪切り器。
【請求項４】
研削された爪屑は、爪屑収容孔（１０）を経て、爪屑収容部（１１）に収容され、爪屑取り出し口（１２）によって廃棄する構成とし、裏面に、滑り止めゴムを設置した請求項１記載の電動爪切り器。
【請求項５】
指入れ口上部に取り付けた開閉キャップの外側にブラシを取り付け、研削部の振動により爪屑を排除する請求項１記載の電動爪切り器。
【考案の詳細な説明】
【技術分野】
【０００１】  本考案は、爪切り刃を微振幅の振動により、安全且つ容易・軽便に爪を切る、電動爪切り器で、視覚障害者や身体障害者に適す。
【背景技術】
【０００２】  従来の電動又は自動爪切り器においては、何れも研削刃等を回転させて爪切りを行うものである。（例えば特開平１０−３１３９３５号公開公報参照）。
【考案の開示】
【考案が解決しょうとする課題】
【０００３】  従来の電動又は自動爪切り器にあっては、切断体又、研削体の回転によって爪を切断するものであったが、回転による切断又研削においては、使用時の注意を怠ると爪のみでなく、指自体を傷つける恐れがあり視覚・身体障害者・高齢者・子供には安心して使用できず、不向きであるという問題点があった。・
【課題を解決するための手段】
【０００４】  上記の問題点を解決するために、本考案は、切断体又研削体が高速で回転するものでなく微振動幅による振動で、爪の研削を行うことにより視覚・身体障害者・高齢者・子供でも、深爪や指の損傷をすることなく、又手の不自由な方でも、この爪切り器を持つことなくなめらかに爪切りを行うことができる。
【考案の効果】
【０００５】  本考案は、鈍角な山形に成型した刃を、緩やかな円弧状又は、平面状に形成し、爪をなめらかに研削するために研削刃を３０度〜４５度傾斜並立させた構造・構成を研削部とし刃型は、先端をやや鋭角に形成し、緩い傾斜角度で下がった部分は鈍角で形成される。
【考案を実施するための最良の形態】
【０００６】  ３０度〜４５度に傾斜並立させた上記研削部は、駆動部によって、左右に５ｍｍを超えない微振幅で往復振動させ、往路でやや鋭角の刃で爪の切削を行い、復路では緩い傾斜角度の面で爪の研磨が行え、並立する刃並びは、平均的爪の描く円弧の約２分の１程度の緩い円弧状とした場合が、爪の先端部分の研削が２往復に対して、爪の両端部分の研削が各１回宛となり、平均的な効果が得られる。【０００７】  研削した爪屑は、爪屑収容孔を通して下部の爪屑収容部に入り、必要に応じて爪屑取り出し口を開いて棄却できる。【０００８】  通常、小型軽量であるため、爪の研削を行う反対の手の中に置いて作動させるが、手の不自由な方が机等の面に置いて作動させる場合、振動によって移動しないように、裏面にゴムが付設されている。【０００９】  作動用スイッチも、突起物を排除するため、平面スイッチとした方が、形状構成上からも落下時等対応取り扱い操作上からも効果的である。【００１０】  動力の電源は、単３電池を２本、電池セット部に横に並列してセットするが、電灯線がらの充電をする場合はアダブター回線差込み口にセットして、充電電力が使用できる。
【実施例】
【００１１】  実施例について図面を参照して説明すると、爪の研削を行う場合、図１・図２において始動・停止スイッチ４をＯＮにいれると、駆動部（６）によって研削部（３）が始動するので、研削したい指を指入口（２）に当て、徐々に切削と研削の状態を見ながら当該指の位置を適宜に移動して研削を行う。【００１２】  従来考案の爪切り器は爪の差し入れ口が細く目で良く確認しなければならず使用が困難であった。又利用者が手に持って使用しなければ研削が出来ず、視覚・身体障害者・高齢者には不向きである。【００１３】  研削部の指入れ口に指先を入れると刃の並列が、指入れ口に対して縦並列であると爪が左右に振動する切削り刃の並列が直角に当たり爪が割れる危険性が生じるため爪削り刃面の並列が爪と直角にならない様に３０度〜４５度の傾斜並列にして爪をなめらかに研削することが出来る。又指当て口を、横２ｃｍ縦１ｃｍ程度にすることにより、容易に使用しやすくする。【００１４】  身体の不自由な方が爪削り器を使用する場合には、本体の裏側に取りはずし可能な脚立台（１４）を用い、利用者の良い角度に位置を調整し安定した体位で用いることが出来る。【００１５】  指入れ口上部に設置した開閉自由なキャップの外側にブラシを取りつけ、閉じると研削部にブラシが接触し研削部が振動することにより、爪屑を排除する。又収容部の爪屑取り出し口の蓋を開いて棄却することができるので清潔が保たれる。
【図面の簡単な説明】
【００１６】
【図１】  電動爪切り器の縦断面図である。
【図２】  電動爪切り器の正面図である。
【図３】  電動爪切り器の背面図である。
【図４】  電動爪切り器の平面図である。
【図５】  角度調整器具である。
【符号の説明】
１  本体
２  指入れ口
３  研削部
４  始動・停止スイッチ
５  スイッチ切替部
６  駆動部
７  電池セット部
８  アダブタ−回転差込み口
９  滑り止めゴム
１０  爪屑収容孔
１１  爪屑収容部
１２  爪屑取り出し口
１３  爪屑排除ブラシ
１４  脚立台
１５  脚立
１６  角度調整止具
１７  脚立台固定部
【図１】
0003135862.tif 000003
【図２】
0003135862.tif 000004
【図３】
0003135862.tif 000005
【図４】
0003135862.tif 000006
【図５】
0003135862.tif 000007